【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
流路を開閉し洗浄水を供給する開閉弁と、洗浄水の水流により電力を生成する発電機と、一対の電極を有し、前記電極を洗浄水中に浸した状態で前記発電機により生成された電力を前記一対の電極の間に通電することにより前記洗浄水中に殺菌成分を添加可能とした電解槽と、前記開閉弁と前記電解槽を制御する制御装置と、前記電極に流れる電流を検出する電流検出部と、前記電極に印加されている電圧を検出する電圧検出部と、を備える便器洗浄装置において、使用者に前記制御装置の動作状態を報知する表示部を備えるとともに、前記制御装置は、前記開閉弁を開駆動し前記電極に通電時、前記電流検出部の検出電流が所定電解電流値以下で前記電圧検出部の検出電圧が所定電解電圧値以下であれば、前記発電機の異常と推定して前記表示部に報知することを特徴とする便器洗浄装置。
【請求項２】
流路を開閉し洗浄水を供給する開閉弁と、洗浄水の水流により電力を生成する発電機と、一対の電極を有し、前記電極を洗浄水中に浸した状態で前記発電機により生成された電力を前記一対の電極の間に通電することにより前記洗浄水中に殺菌成分を添加可能とした電解槽と、前記開閉弁と前記電解槽を制御する制御装置と、前記電極に流れる電流を検出する電流検出部と、前記電極に印加されている電圧を検出する電圧検出部と、を備える便器洗浄装置において、使用者に前記制御装置の動作状態を報知する表示部を備えるとともに、前記制御装置は、前記所定電解電流値以下で前記所定電解電圧値以上であるとき、前記電極のオープン異常と推定して前記表示部に報知し、前記所定電解電流値以上で、前記所定電解電圧値以下であるとき、前記電極のショート異常と推定して前記表示部に報知することを特徴とする便器洗浄装置。
【請求項３】
請求項１又は２に記載の便器洗浄装置において、人体の有無を検出する人体センサを備え、前記表示部は前記人体センサに内蔵された感知表示部であるとともに、前記人体センサが人体を検出しているときに、前記表示部に報知することを特徴とする便器洗浄装置。
【請求項４】
請求項３に記載の便器洗浄装置において、前記人体センサが人体無しから有りを検出したときに、前記開閉弁を所定時間開駆動する前洗浄機能を備え、前記制御装置は、前記発電機の異常もしくは前記電極のオープン又はショート異常と推定した後に、前記前洗浄機能が実施されているときに、前記表示部に報知することを特徴とする便器洗浄装置。
【請求項５】
請求項４に記載の便器洗浄装置において、前記制御装置は、前記前洗浄機能が無効になるように設定されている状態で、前記発電機の異常もしくは前記電極のオープン又はショート異常と推定した場合、前記前洗浄機能が有効になるように設定変更することを特徴とする便器洗浄装置。
【請求項６】
請求項４又は５に記載の便器洗浄装置において、前記制御装置は、前記前洗浄機能の洗浄時間が第一の洗浄時間に設定されている状態で、前記発電機の異常もしくは前記電極のオープン又はショート異常と推定した場合、前記第一の洗浄時間より長い第二の洗浄時間に変更することを特徴とする便器洗浄装置。
【請求項７】
請求項１乃至６のいずれか一つに記載の便器洗浄装置において、前記制御装置は、前記電極の通電回数が所定回数を超えると電極の寿命と推定するとともに、前記表示部に報知することを特徴とする便器洗浄装置。
【請求項８】
請求項７に記載の便器洗浄装置において、前記制御装置は、前記電極のオープン又はショート異常もしくは前記電極の寿命と推定した場合は、前記開閉弁を駆動するとともに前記表示部に報知することを特徴とする便器洗浄装置。
【手続補正２】
【補正対象書類名】明細書
【補正対象項目名】０００６
【補正方法】変更
【補正の内容】
【０００６】
上記目的を達成するために第１の発明は、流路を開閉し洗浄水を供給する開閉弁と、洗浄水の水流により電力を生成する発電機と、一対の電極を有し、前記電極を洗浄水中に浸した状態で前記発電機により生成された電力を前記一対の電極の間に通電することにより前記洗浄水中に殺菌成分を添加可能とした電解槽と、前記開閉弁と前記電解槽を制御する制御装置と、前記電極に流れる電流を検出する電流検出部と、前記電極に印加されている電圧を検出する電圧検出部と、を備える便器洗浄装置において、使用者に前記制御装置の動作状態を報知する表示部を備えるとともに、前記制御装置は、前記開閉弁を開駆動し前記電極に通電時、前記電流検出部の検出電流が所定電解電流値以下で前記電圧検出部の検出電圧が所定電解電圧値以下であれば、前記発電機の異常と推定して前記表示部に報知するようにしたことにより、発電機が正常か否かを検出するための専用の回路を用いることなく発電機の異常を推定することができ、製品のコストダウンや小型化が可能となりとともに、前記発電機の異常と推定した後に、前記表示部に報知するようにしたので、便器洗浄システムに異常が発生していることを、使用者や設備の管理者に知らせることができるため、速やかに異常状態を取り除くことが可能となる。
【手続補正３】
【補正対象書類名】明細書
【補正対象項目名】０００７
【補正方法】変更
【補正の内容】
【０００７】
また、第２の発明は、流路を開閉し洗浄水を供給する開閉弁と、洗浄水の水流により電力を生成する発電機と、一対の電極を有し、前記電極を洗浄水中に浸した状態で前記発電機により生成された電力を前記一対の電極の間に通電することにより前記洗浄水中に殺菌成分を添加可能とした電解槽と、前記開閉弁と前記電解槽を制御する制御装置と、前記電極に流れる電流を検出する電流検出部と、前記電極に印加されている電圧を検出する電圧検出部と、を備える便器洗浄装置において、使用者に前記制御装置の動作状態を報知する表示部を備えるとともに、前記制御装置は、前記所定電解電流値以下で前記所定電解電圧値以上であるとき、前記電極のオープン異常と推定して前記表示部に報知し、前記所定電解電流値以上で、前記所定電解電圧値以下であるとき、前記電極のショート異常と推定して前記表示部に報知するようにしたことで、殺菌水生成用の電極に異常があるにもかかわらず、発電機に異常があると誤って推定してしまうことがなく、正確に異常箇所を推定することが可能となるとともに、前記電極の異常と推定した後に、前記表示部に報知したので、便器洗浄システムに異常が発生していることを、使用者や設備の管理者に知らせることができるため、速やかに異常状態を取り除くことが可能となる。
【手続補正４】
【補正対象書類名】明細書
【補正対象項目名】０００８
【補正方法】変更
【補正の内容】
【０００８】
第３の発明は、請求項１又は２に記載の便器洗浄装置において、人体の有無を検出する人体センサを備え、前記表示部は前記人体センサに内蔵された感知表示部であるとともに、前記人体センサが人体を検出しているときに、前記表示部に報知するようにしたので、発電機により発電された電力により蓄電池を充電しながら人体センサの感知ＬＥＤ等を発光させ異常を報知するようにできるため、バックアップ用電池のエネルギーを消費することなく使用者に確実に異常を知らせることが可能となる。
【手続補正５】
【補正対象書類名】明細書
【補正対象項目名】０００９
【補正方法】変更
【補正の内容】
【０００９】
第４の発明は、請求項３に記載の便器洗浄装置において、前記人体センサが人体無しから有りを検出したときに、前記開閉弁を所定時間開駆動する前洗浄機能を備え、前記制御装置は、前記発電機の異常もしくは前記電極のオープン又はショート異常と推定した後に、前記前洗浄機能が実施されているときに、前記表示部に報知するようにしたので、バックアップ用電池のエネルギーを消費することなく使用者に異常を知らせると同時に、必要以上に洗浄水を流すことを防ぐことが可能となる。
【手続補正６】
【補正対象書類名】明細書
【補正対象項目名】００１０
【補正方法】変更
【補正の内容】
【００１０】
第５の発明は、請求項４に記載の便器洗浄装置において、前記制御装置は、前記前洗浄機能が無効になるように設定されている状態で、前記発電機の異常もしくは前記電極のオープン又はショート異常と推定した場合、前記前洗浄機能が有効になるように設定変更するようにしたので、便器洗浄装置の設置者により人が小便器を使用し始めたときに洗浄する前洗浄機能が無効に設定されている場合でも、バックアップ用電池のエネルギーを消費することなく使用者に異常を知らせることが可能となる。
【手続補正７】
【補正対象書類名】明細書
【補正対象項目名】００１１
【補正方法】変更
【補正の内容】
【００１１】
第６の発明は、請求項４又は５に記載の便器洗浄装置において、前記制御装置は、前記前洗浄機能の洗浄時間が第一の洗浄時間に設定されている状態で、前記発電機の異常もしくは前記電極のオープン又はショート異常と推定した場合、前記第一の洗浄時間より長い第二の洗浄時間に変更するようにしたので、便器洗浄装置の設置者により人が小便器を使用し始めたときに洗浄する前洗浄の時間を短く設定されている場合でも、バックアップ用電池のエネルギーを消費することなく、しかも使用者が確実に異常に気づくように、より長い時間にわたって異常を知らせることが可能となる。
【手続補正８】
【補正対象書類名】明細書
【補正対象項目名】００１２
【補正方法】変更
【補正の内容】
【００１２】
第７の発明は、請求項１乃至６のいずれか一つに記載の便器洗浄装置において、前記制御装置は、前記電極の通電回数が所定回数を超えると電極の寿命と推定するとともに、前記表示部に報知するようにしたので、殺菌水生成用の電極が消耗し交換が必要となった場合に、使用者に確実に交換時期であることを知らせることが可能となる。
【手続補正９】
【補正対象書類名】明細書
【補正対象項目名】００１３
【補正方法】変更
【補正の内容】
【００１３】
第８の発明は、請求項７に記載の便器洗浄装置において、前記制御装置は、前記電極のオープン又はショート異常もしくは前記電極の寿命と推定した場合は、前記開閉弁を駆動するとともに前記表示部に報知するようにしたので、電解水生成用の電極の異常や寿命といったように電極には異常があるが、蓄電池を充電するための発電機は正常であるといった場合は、蓄電池を充電しながら異常を報知することで、バックアップ用電池のエネルギーを消費することなく、使用者に確実に異常をしらせることができる。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】